(57)【要約】      （修正有）【課題】先端が尖ったものが刺さり難く、たとえ刺さったとしても刺さった箇所から放射性物質の流出を防止して除染廃棄物を安全に保管することができるフレキシブルコンテナバッグを提供する。【解決手段】放射性物質を吸着する吸着機能を有する内袋、防水性を有する中袋２２、及び除染廃棄物を収納した状態で移送に耐え得る耐久性及び耐候性を有する外袋２３で３層に形成された袋体２と、袋体を開口部が上向きに開いた開口状態に保持するスタンド３とを備える。スタンドは、水平な４つの枠辺４１を開閉可能に連結して環状に形成し折り畳んだ折り畳み状態と展開した開状態となる枠体４と、枠体を支える脚５と、枠体の４つの角部のうち対向する２つの角部に装着されて枠体を開状態に保持する保持部材６と、袋体を着脱可能に係止する係止部材７とから形成されている。【選択図】図１
0003191073.tif 000002
【実用新案登録請求の範囲】
【請求項１】
セシウム等の放射性物質を含んだ落葉、苔、泥などの堆積物、刈り取った草、芝、伐採した剪定枝、樹木の剥ぎ取り粗皮、小石を含んだ山土や汚泥等の除染廃棄物を収納するバッグであって、
前記放射性物質を吸着する吸着機能を有する内袋、防水性を有する中袋、及び前記内袋に前記除染廃棄物を収納した状態で移送に耐え得る耐久性及び耐候性を有する外袋で３層に形成された袋体と、
前記袋体を開口部が上向きに開いた開口状態に保持するスタンドとを備え、
前記スタンドは、水平な４つの枠辺を開閉可能に連結して環状に形成し折り畳んだ折り畳み状態と展開した開状態となる枠体と、前記枠体を支える脚と、前記枠体の４つの角部のうち対向する２つの角部に装着されて前記枠体を開状態に保持する保持部材と、前記袋体を着脱可能に係止する係止部材とから形成されていることを特徴とするフレキシブルコンテナバッグ。
【請求項２】
前記保持部材は、前記枠体の角部を形成する２つの枠辺の一方の上端部に被せられる断面逆凹状の第１保持部と、前記第１保持部に固定されて前記枠辺の他方の上端部に被せられる断面逆凹状の第２保持部とを備えた請求項１に記載のバッグ。
【請求項３】
前記枠体は、連結した２つの枠辺を閉じ動作させて互いに重ねるように折り畳んだ折り畳み状態と閉じた２つの枠辺をそれぞれ開き動作させて略９０度に展開した開状態となるスタンド構成体の２つをそれぞれの枠辺の開放先端を互いに連結して形成されている請求項１又は２に記載のバッグ。
【請求項４】
前記スタンド構成体の各枠辺の開放先端に筒状連結部がそれぞれ設けられ、
前記保持部材は、一方のスタンド構成体の筒状連結部と他方のスタンド構成体の筒状連結部を同軸上に位置させてこれら筒状連結部に挿入して２つのスタンド構成体を連結する軸部を備えた請求項３に記載のバッグ。
【請求項５】
前記外袋には、前記袋体を吊り下げるための吊りベルトが設けられ、
前記吊りベルトは、外袋から上方に延び、開口部の近傍に設けたベルト通しを通って外袋に縫着され、
前記保持部材は、垂直方向に延びる棒状の基部を備え、該基部の下方が前記軸部として形成されるとともに、当該基部の上方が前記ベルト通しに挿入される前記係止部材として形成され、前記基部の中間に、前記第１保持部と第２保持部が固定されている請求項４に記載のバッグ。
【考案の詳細な説明】
【技術分野】
【０００１】
本考案は、放射性物質特にセシウムを含んだ、落葉、苔、泥などの堆積物、刈り取った草、芝、伐採した剪定枝、樹木の剥ぎ取り粗皮、小石を含んだ山土や汚泥等の除染廃棄物を移送、保管することができるフレキシブルコンテナバッグに関するものである。
【背景技術】
【０００２】
東日本大震災により発生した原子力発電所の事故により生じた放射性物質による汚染に関して原子力災害対策本部より「市町村による除染実施ガイドライン」が示された。ガイドラインによれば、放射性物質で汚染された落葉、苔、泥などの堆積物、刈り取った草、芝、伐採した剪定枝、樹木の剥ぎ取り粗皮、小石を含んだ山土や汚泥等の除染廃棄物は、土嚢袋といわれている、ポリエチレンやポリプロピレン等の化学繊維で織られたシートで製作されたフレキシブルコンテナバッグに収納され、空き地等の仮置き場に仮置きされ、いずれ最終処分場に移されて処理される。
【０００３】
現行のフレキシブルコンテナバッグは、基本的には１年間で１回使用という品質保証期間であるが、除染廃棄物の仮置き間は３年から５年以上と考えられるので、屋外に長期間放置されると紫外線等によってフレキシブルコンテナバッグが劣化し、汚染物質の漏れや二次汚染の恐れがあるだけでなく、仮置き場から最終処分場までの運搬移動も困難になることが考えられる。
【０００４】
そこで、放射性物質を含む土砂等の除染廃棄物を収納して屋外で長期間保存が可能な耐候性と防水性とを有する汚染物収納袋が提案されている（特許文献１参照）。提案されている汚染物収納袋は、外袋の中に内袋を備えている。外袋は、カーボンブラックを含油するフィラメント糸で織製され、外側に吊りベルトが固定されている。内袋は、ポリオレフィンシートで形成されている。除染廃棄物は、土砂や汚泥だけではなく枝や小石などの先端が尖ったものなどが含まれているため、汚染物収納袋に除染廃棄物が収納されていると、先端が尖ったものが汚染物収納袋に突き刺さって汚染物収納袋から外部に突出することもあり得る。その結果、放射性物質を含んだ除染廃棄物が汚染物収納袋の刺さった箇所から流出することがある。
【先行技術文献】
【特許文献】
【０００５】
【特許文献１】特開２０１３−１７４４７５号公報
【考案の概要】
【考案が解決しようとする課題】
【０００６】
そこで、本考案は、先端が尖ったものが刺さり難く、たとえ刺さったとしても刺さった箇所から放射性物質の流出を防止して除染廃棄物を安全に保管することができるフレキシブルコンテナバッグを提供することにある。
【課題を解決するための手段】
【０００７】
前記課題を解決するため、本考案に係るフレキシブルコンテナバッグは、セシウム等の放射性物質を含んだ落葉、苔、泥などの堆積物、刈り取った草、芝、伐採した剪定枝、樹木の剥ぎ取り粗皮、小石を含んだ山土や汚泥等の除染廃棄物を収納するバッグであって、前記放射性物質を吸着する吸着機能を有する内袋、防水性を有する中袋、及び前記内袋に前記除染廃棄物を収納した状態で移送に耐え得る耐久性及び耐候性を有する外袋で３層に形成された袋体と、前記袋体を開口部が上向きに開いた開口状態に保持するスタンドとを備え、前記スタンドは、水平な４つの枠辺を開閉可能に連結して環状に形成し折り畳んだ折り畳み状態と展開した開状態となる枠体と、前記枠体を支える脚と、前記枠体の４つの角部のうち対向する２つの角部に装着されて前記枠体を開状態に保持する保持部材と、前記袋体を着脱可能に係止する係止部材とから形成されていることを特徴とする。
【０００８】
このように、袋体は、放射性物質を吸着する吸着機能を有する内袋、防水性を有する中袋、及び内袋に除染廃棄物を収納した状態で移送に耐え得る耐久性及び耐候性を有する外袋で３層に形成されているので、尖ったものが刺さり難く、しかも、たとえ刺さったとしても、放射性物質は内袋に吸着されるので、刺さった箇所から放射性物質が流出することが防止される。
また、袋体は、スタンドによって開口部が上向きに開いた開口状態に保たれるので、袋体に除染廃棄物を収納し易い。このとき、スタンドの枠体の２つの角部に保持部材が装着されていることで、枠体は開口状態に保持されるので、袋体に除染廃棄物をより収納し易い。
【０００９】
この場合において、保持部材を、枠体の角部を形成する２つの枠辺の一方の上端部に被せられる断面逆凹状の第１保持部と、第１保持部に固定されて枠辺の他方の上端部に被せられる断面逆凹状の第２保持部とを備えることができる。また、枠体を、連結した２つの枠辺を閉じ動作させて互いに重ねるように折り畳んだ折り畳み状態と閉じた２つの枠辺をそれぞれ開き動作させて略９０度に展開した開状態となるスタンド構成体の２つをそれぞれの枠辺の開放先端を互いに連結して形成することができる。スタンド構成体の各枠辺の開放先端に筒状連結部がそれぞれ設けられ、保持部材を、一方のスタンド構成体の筒状連結部と他方のスタンド構成体の筒状連結部を同軸上に位置させてこれら筒状連結部に挿入して２つのスタンド構成体を連結する軸部を備えることができる。さらに、外袋に、袋体を吊り下げるための吊りベルトを設け、吊りベルトを、外袋から上方に延び、開口部の近傍に設けたベルト通しを通って外袋に縫着し、保持部材が、垂直方向に延びる棒状の基部を備え、該基部の下方が軸部として形成されるとともに、当該基部の上方がベルト通しに挿入される係止部材として形成され、基部の中間に、第１保持部と第２保持部を固定することができる。
【考案の効果】
【００１０】
本考案によれば、先端が尖ったものが刺さり難く、たとえ刺さったとしても刺さった箇所から放射性物質の流出を防止して除染廃棄物を安全に保管することができ、かつ、袋体に除染廃棄物を収納し易い。
【図面の簡単な説明】
【００１１】
【図１】本考案に係る一例の実施形態のフレキシブルコンテナバッグを示す斜視図である。
【図２】本実施形態のフレキシブルコンテナバッグに用いられる袋体の一例を示す斜視図である。
【図３】本実施形態のフレキシブルコンテナバッグに用いられるスタンドの一例を示す平面図である。
【図４】本実施形態のフレキシブルコンテナバッグに用いられるスタンドの一例を示す正面図である。
【図５】本実施形態のフレキシブルコンテナバッグに用いられる保持部材の一例を示す図で、（ａ）は平面図、（ｂ）は側面図、（ｃ）は正面図である。
【図６】本実施形態のフレキシブルコンテナバッグに用いられるスタンド構成体が折り畳められた折り畳み状態を示す平面図である。
【図７】本実施形態のフレキシブルコンテナバッグに用いられるスタンド構成体が略９０度展開した開状態を示す平面図である。
【考案を実施するための形態】
【００１２】
以下、本考案に係るフレキシブルコンテナバッグの実施形態を添付図面に基づいて説明する。図１に示すように、本実施形態の一例のフレキシブルコンテナバッグ１は、セシウム等の放射性物質を含んだ除染廃棄物を収納するものであり、除染廃棄物を収納する袋体２と、袋体２を開いた状態に保持するスタンド３とを備えている。除染廃棄物は、例えば、セシウム等の放射性物質を含んだ落葉、苔、泥などの堆積物、刈り取った草、芝、伐採した剪定枝、樹木の剥ぎ取り粗皮、小石を含んだ山土や汚泥等である。
【００１３】
袋体２は、図１及び図２に示すように、放射性物質を吸着する吸着機能を有する内袋２１と、防水性を有する中袋２２と、内袋２１に除染廃棄物を収納した状態で移送に耐え得る耐久性及び耐候性を有する外袋２３とで３層に形成されている。内袋２１は、除染廃棄物を収納するものであり、例えば、有底円筒状に形成されている。内袋２１は、中袋２２内に挿入され、中袋２２は外袋２３に挿入されており、中袋２２及び外袋２３は、内袋２１と同様に、有底円筒状に形成されている。外袋２３は、一例として、直径１１００ｍｍ、軸方向の長さ１１００ｍｍに形成されて、袋体２に１ｔの除染廃棄物を収納し得るようになっている。内袋２１、中袋２２及び外袋２３は、袋状に形成されていれば有底円筒状に限定されず、有底角筒状等その他の形状に形成してもよい。
【００１４】
内袋２１は、放射性物質特にセシウムを吸着する吸着機能及び透水性を有し、除染廃棄物を収納することができるものであればよく、例えば、セシウムを選択的に吸着するプルシアンブルーを含浸または塗布させた布、不織布又はフェルト等で形成されている。なお、本実施形態では特にセシウムを吸着する場合について説明するが、プルシアンブルーと一緒に、又は、プルシアンブルーとは別に、ゼオライト、ベントナイト等の他の吸着材を用いてセシウムとともにセシウム以外の他の放射性物質例えばヨウ素やストロンチウム等も吸着させるようにしてもよい。内袋２１の基材としては、布（織布や編布）、不織布又はフェルト等を用いることができ特に限定されないが、不織布であることが好ましい。不織布としては、公知のものを用いることができ、例えば、ケミカルボンド不織布、サーマルボンド不織布、エアースルー不織布、エアレイド不織布、スパンレース不織布、スパンボンド不織布、ニードルパンチ不織布等が挙げられる。
【００１５】
プルシアンブルーは、セシウムを選択的に吸着するためにセシウムの吸着能力が高いものとして知られている。プルシアンブルーとしては、公知のものを用いることができ、例えば、粒径が小さく比表面積が大きく高い吸着効果が得られることからナノ粒子のものを用いることも一つの方法である。プルシアンブルーを付着させる手段としては、塗布、含浸等が挙げられるが、バインダーを用いてプルシアンブルーを含浸または塗布させることが好ましい。バインダーとしては、公知のものを用いることができ、例えば、塩化ビニル系樹脂、塩化ビニリデン系樹脂、酢酸ビニル系樹脂、ポリビニルアルコール系樹脂、アルキッド系樹脂、エポキシ系樹脂、アクリロニトリル−ブタジエン系樹脂、ポリウレタン系樹脂、ポリウレア系樹脂、セルロース系樹脂、アクリル系樹脂、ポリブチラール系樹脂、ポリエステル系樹脂、フッ素系樹脂、メラミン系樹脂、尿素系樹脂、ポリアミド系樹脂、フエノール系樹脂、ポリスチレン系樹脂等が挙げられ、特に好ましいものは内袋２１に剛性を持たせて自立可能にする樹脂が好ましい。すなわち、内袋２１は、バインダーを用いてプルシアンブルーを含浸または塗布により付着させるとともに剛性を持たせて自立可能にした不織布で形成されていることが好ましい。また、内袋２１は、水を透過させることができれば透水性について特に限定されないが、例えば、透水係数が１×１０−２ｃｍ／ｓｅｃ程度であることが好ましい。
【００１６】
プルシアンブルーの付着量は、内袋２１に収納した除染廃棄物内の水が内袋２１を通って内袋２１外に流出したとき、流出した水の放射性物質の値が排水における放射性物質の基準値以下になる範囲から任意に設定され、例えば、１ｍ２当たり必要の量は、除染廃棄物のセシウム量によって決定されるが、約５ｇ〜１０ｇである。すなわち、内袋２１は、放射性物質であるセシウムをろ過吸収しながら水を排出するものである。また、内袋２１の厚さは、自立可能であるとともに除染廃棄物が収納されて外袋２３に入れられた状態で屋外に３年以上好ましくは７、８年以上仮置きし得る範囲から任意に設定される。内袋２１は、例えば、１トンの例えば土壌を収納し得る大きさに形成されている。内袋２１の投入口（開口部）は、折畳んで閉じたり絞りテープなどの紐材により閉じたりすることが好ましい。
【００１７】
中袋２２は、防水性を有するものであり、例えば、ポリエチレン、ポリプロピレンなどのポリオレフィン、ポリエステル等の合成樹脂等で形成したものを用いてもよい。中袋２２は、内袋２１と高さを略同じに形成してもよいが、内袋２１の高さより高く例えば除染廃棄物の収納後に中袋２２の開口部を結んで密封し得る寸法で形成されていることが好ましい。また、中袋２２の内面等にプルシアンブルーを付着させるようにしてもよい。中袋２２の投入口（開口部）は、折畳んで閉じたり絞りテープ２４などの紐材により閉じたりすることが好ましい。
【００１８】
外袋２３は、中袋２２内の内袋２１に除染廃棄物を収納した状態で移送に耐え得る耐久性及び耐候性を有するものである。すなわち、外袋２３は、中袋２２内の内袋２１に収容された除染廃棄物による荷重とを強固に支持して移送（運搬）し得る耐久性と、屋外に３年以上好ましくは７、８年以上仮置きし得る耐候性とを有するものである。外袋２３は、例えば、市販されている土嚢袋等を用いてもよいし、ポリエチレン、ポリプロピレンなどのポリオレフィン、ポリエステル、ナイロンなどの強度の高い合成樹脂等で形成したものを用いてもよい。また、外袋２３の内面等にプルシアンブルーを付着させるようにしてもよい。外袋２３は、内袋２１と高さを略同じに形成してもよいが、内袋２１の高さより低く形成されていることが好ましい。すなわち、外袋２３に中袋２２及び内袋２１を入れたとき、内袋２１の方が高く（５ｃｍ〜３０ｃｍ、作業のしやすい範囲）なっていることが好ましい。
【００１９】
また、外袋２３には、クレーンやフォークリフト等の昇降装置のフック等の吊下支持具に取り外し可能に係合されて内袋２１に除染廃棄物が収納された状態の外袋２３を吊り下げて移動するための吊り部材としての吊りベルト２５が設けられている。吊り部材としては、吊下支持具に取り外し可能に係合されるものであれば吊りベルト２５以外の例えば取っ手等でもよい。吊りベルト２５は、２本のベルトで形成してもよいし環状の１本のベルトで形成してもよい。
【００２０】
吊りベルト２５を１本のベルトで形成する場合、ベルトを外袋２３の底部の中央で交差させるとともに、その一部を底部や周面に縫着する。吊りベルト２５は、底部の４箇所から外袋２３の周面を軸方向に延び開口部の近傍でベルト通し２６を通ってから上方に延びている。吊りベルト２５は、例えば、ポリエチレン、ポリプロピレンなどのポリオレフィン、ポリエステル、ナイロンなどの強度の高い合成樹脂等で形成されている。さらに、外袋２３の投入口（開口部）は、折畳んで閉じたり絞りテープなどの紐材により閉じたりすることが好ましい。
【００２１】
スタンド３は、図１、図３及び図４に示すように、袋体２を開口部が上向きに開いた開口状態に保持するものである。スタンド３は、水平方向に延びる（水平な）４つ枠辺４１を開閉可能に連結して環状に形成し折り畳み状態と開状態となる枠体４と、枠体４を支える脚５と、枠体４の４つの角部のうち対向する２つの角部に装着されて枠体４を開状態に保持する保持部材６と、袋体２を着脱可能に係止する係止部材７とから形成されている。
【００２２】
枠体４は、４つの枠辺４１を開閉可能に連結して環状に形成されている。枠辺４１は、例えば、縦断面縦長の長方形状等で水平方向に延びる細板状に形成されている。各枠辺４１の両端部近傍には、それぞれ脚５が設けられて、枠体４（４つの枠辺４１）が水平方向に延びた状態で支えられるようになっている。脚５は、袋体２に除染廃棄物を収納するときに、枠体４が倒れたりしないように、枠辺４１から枠体４の外側に離れるように斜め下方に延び、下端部が地面等に水平に接するように折り曲げられている。枠辺４１及び脚５は、枠体４で保持した袋体２に除染廃棄物を収納するときに、袋体２を開口部が上向きに開いた開口状態に保持することができ得る材料、例えば、鋼材等で形成されている。
【００２３】
枠体４（４つの枠辺４１）は、隣接する２つの枠辺４１が互いに水平方向に回動可能（開閉可能）に連結されており、隣接する２つの枠辺４１及び残りの２つの枠辺４１をそれぞれ重ねるように折り畳んだ折り畳み状態と、隣接する２つの枠辺４１及び残りの２つの枠辺４１をそれぞれ略９０度に開いた四角形状の開状態となるようになっている。枠体４は、４つの枠辺４１の長さが同じ寸法の場合には、開状態が正方形状になり、対向する枠辺４１の寸法が同じで隣接する枠辺４１の寸法が異なる寸法の場合には、開状態が長方形状になる。
【００２４】
枠体４及び脚５は、１つの部材で形成してもよいし、２つの部材（スタンド構成体３１）を連結して形成してもよい。本実施形態では、２つのスタンド構成体３１を用いる場合について説明する。スタンド構成体３１は、図６及び図７に示すように、１つの枠辺４１の一方の端部と他の１つの枠辺４１の一方の端部が開閉可能に連結されて当該２つの枠辺４１を閉じ動作させて互いに重ねるように折り畳んだ折り畳み状態（図６参照。）と閉じた２つの枠辺４１をそれぞれ開き動作させて略９０度に展開した開状態（図７参照。）となるように形成されている。
【００２５】
２つの枠辺４１の連結手段としては、例えば、ヒンジ３２等が用いられる。ヒンジ３２は、例えば、２つの枠辺４１にそれぞれ取り付けられる２つの翼板３２ａ、３２ａを有するものが用いられる。スタンド構成体３１の２つの枠辺４１の開放先端には、それぞれ円筒状等の筒状連結部３１ａが設けられている。１つのスタンド構成体３１の筒状連結部３１ａと別の１つのスタンド構成体３１の筒状連結部３１ａとをそれぞれ同軸上に位置させてこれら筒状連結部３１ａに例えば連結部材としてのピンを通して２つのスタンド構成体３１を連結し、４つの枠辺４１からなる環状の枠体４を形成するようにしてもよい。
【００２６】
保持部材６は、図１及び図５に示すように、枠体４を四角形状の開状態に保持するものであり、枠体４の４つの角部のうち対向する２つの角部に装着されている。保持部材６が装着される角部は、２つのスタンド構成体３１で枠体４を形成する場合、スタンド構成体３１を形成する角部の２箇所でもよいが、２つのスタンド構成体３１を連結した２つの角部であることが好ましい。保持部材６は、２つのスタンド構成体３１を連結した２つの角部に装着する場合、枠体４を開状態に保持のみ行うようにしてもよいが、枠体４の開状態の保持と２つのスタンド構成体３１の連結の両方を行うようにしてもよい。
【００２７】
保持部材６は、例えば、垂直方向に延びる断面円形の棒状に形成された基部６１と、基部６１の中間に固定されて角部を形成する２つの枠辺４１の一方に係合する第１保持部６２と、２つの枠辺４１の他方に係合する第２保持部６３とを備えている。
第１保持部６２は、例えば、枠辺４１に係合するならばどのように形成してもよく、例えば、枠辺４１の上端部に被せられる断面逆凹状に形成されている。第１保持部６２は、基部６１の軸に対して直交する方向に延びるように一端である基端が基部６１の周面に固定されている。第２保持部６３は、例えば、枠辺４１に係合するならばどのように形成してもよく、例えば、枠辺４１の上端部に被せられる断面逆凹状に形成されている。第２保持部６３は、基部６１の軸に対して直交するとともに第１保持部６２に対して直交する方向に延びるように一端である基端が基部６１の周面に固定されている。
【００２８】
基部６１の下方は、スタンド構成体３１の筒状連結部３１ａに挿入されて２つのスタンド構成体３１を連結する軸部すなわち連結部材として形成されていることが好ましい。これにより、略９０度に展開した開状態の２つのスタンド構成体３１の筒状連結部３１ａに基部６１の下方を挿入して２つのスタンド構成体３１を連結するとともに、第１保持部６２と第２保持部６３を２つの枠辺４１の上端部に被せることで、角部を形成する２つの枠辺４１の回動が防止されて枠体４（スタンド３）が四角形状の開状態に保持されるようになっている。
【００２９】
基部６１の上方（第１保持部６２及び第２保持部６３より上方）は、ベルト通し２６に挿入されて袋体２をスタンド３に係止させる係止部材７として形成されていることが好ましい。これにより、スタンド３の枠体４内に袋体２を挿入する際に、基部６１の上方である係止部材７をベルト通し２６に挿入することで、袋体２を開いた状態でスタンド３に係止させることができる。このように、袋体２を係止部材７に係止させたとき、袋体２の底が地上に接するか接しないように、スタンド３の高さ（すなわち脚５の長さ）を設定することが好ましい。
【００３０】
なお、保持部材６を基部６１と第１保持部６２と第２保持部６３とで形成したが、枠体４（スタンド３）を開状態に保持することができるならば、保持部材６を第１保持部６２と第２保持部６３とで形成するようにしてもよい。この場合、２つのスタンド構成体３１の連結は、ピン等の連結部材で行うようにする。
また、保持部材６の上方を係止部材７として形成したが、これに限定されず、例えば、枠体４（枠辺４１）に形成するようにしてもよい。この場合、係止部材７としては、例えば、フック状等に形成してもよい。係止部材をフック状に形成する場合、例えば、係止部材を４つの枠辺４１の長手方向の略中央部の内面側にそれぞれ設けて袋体２の４つのベルト通し２６に係止するようにする。
【００３１】
次に、上記のように構成した本実施形態のフレキシブルコンテナバッグ１に除染廃棄物を収納する場合について説明する。外袋２３内に中袋２２、内袋２１を順次挿入されている袋体２を用意する。略９０度に展開した開状態の２つのスタンド構成体３１を対向させる。１つのスタンド構成体３１の一方の筒状連結部３１ａと残りの１つのスタンド構成体３１の一方の筒状連結部３１ａとを同軸上に位置させるとともに、１つのスタンド構成体３１の他方の筒状連結部３１ａと残りの１つのスタンド構成体３１の他方の筒状連結部３１ａとを同軸上に位置させ、各同軸上に位置させた筒状連結部３１ａにそれぞれ保持部材６の基部６１の下方を挿入して２つのスタンド構成体３１を連結する。かつ、２つの保持部材６の第１保持部６２と第２保持部６３をそれぞれ２つの枠辺４１の上端部に被せる（図３及び図４参照。）。これにより、４つの枠辺４１の回動が防止されて枠体４（スタンド３）が四角形状の開状態に保持されてスタンド３が組み立てられる。
【００３２】
このスタンド３の枠体４内に袋体２を挿入するとともに、２つの保持部材６の基部６１の上方である係止部材７を４つのベルト通し２６のうちの１つ置いた２つのベルト通し２６に挿入して袋体２をスタンド３に係止させる。係止後、枠体４より上方の袋体２の内袋２１、中袋２２、外袋２３を外側に折り返して枠体４に被せる（図１参照。）。これにより、袋体２は開口部が上向きに開いた開口状態でスタンド３に保持される。
【００３３】
このように、開口部が上向きに開いた袋体２にセシウム等の放射性物質を含んだ除染廃棄物を例えばユンボなどの重機等を用いて入れる。このとき、袋体２は、スタンド３によって開口部が上向きに開いた開口状態に保持されているので、除染廃棄物を入れ易い（収納し易い）し、一人での作業が可能となる。また、枠体４は、２つの角部に保持部材６が装着されていることで、枠体４（スタンド３）が開状態に確実に保持されるので、袋体２に除染廃棄物をより収納し易い。
【００３４】
除染廃棄物を袋体２に入れた後に、内袋２１の投入口（開口部）を例えば絞りテープにより閉じる。内袋２１を閉じた後に、中袋２２の投入口（開口部）を例えば絞りテープ２４により閉じ、さらに、外袋２３の投入口（開口部）を例えば折畳んで閉じる。除染廃棄物を入れた袋体２を所定の場所に移送（運搬）する。このとき、外袋２３に、吊りベルト２５が設けられていることで、袋体２をクレーンやフォークリフト等の昇降装置のフック等の吊下支持具で簡単に吊り下げて移動することができるので、袋体２の移送を容易に行える。また、袋体２を移送する際に、袋体２がスタンド３から抜けないときには、保持部材６を外してスタンド構成体３１を２つスタンド構成体３１に分割することで、スタンド３から袋体２を外すことができる。
【００３５】
袋体２は、放射性物質を吸着する吸着機能を有する内袋２１、防水性を有する中袋２２、及び内袋２１に除染廃棄物を収納した状態で移送に耐え得る耐久性及び耐候性を有する外袋２３で３層に形成されているので、尖ったものが刺さり難く、しかも、たとえ刺さったとしても、放射性物質は内袋２１に吸着されるので、刺さった箇所から放射性物質が流出することが防止される。
【００３６】
したがって、本実施形態のフレキシブルコンテナバッグ１は、先端が尖ったものが刺さり難く、たとえ刺さったとしても刺さった箇所から放射性物質の流出を防止して除染廃棄物を安全に保管することができ、かつ、袋体２に除染廃棄物を収納し易い。
【符号の説明】
【００３７】
１  フレキシブルコンテナバッグ
２  袋体
３  スタンド
４  枠体
５  脚
６  係止部材
７  保持部材
２１  内袋
２２  中袋
２３  外袋
３１  スタンド構成体
３１ａ  筒状連結部
４１  枠辺
６１  基部
６２  第１保持部
６３  第２保持部
【図１】
0003191073.tif 000003
【図２】
0003191073.tif 000004
【図３】
0003191073.tif 000005
【図４】
0003191073.tif 000006
【図５】
0003191073.tif 000007
【図６】
0003191073.tif 000008
【図７】
0003191073.tif 000009